(57)【要約】【課題】背もたれ部と肘掛けとの間で手指を挟まない安全性の高い簡易便器を提供する。【解決手段】簡易便器１の使用状態では、背もたれ部４の側板部４Ａと肘掛け３の後端に形成された延長部８Ｂとが左右方向で隣接し、該背もたれ部４の側板部４Ａの外側面の少なくとも一部に、該肘掛け３の延長部８Ｂの少なくとも一部が覆い被さった状態となっている。さらに、肘掛け３の肘掛け本体部８Ａにおける後端部には、前記延長部８Ｂに向かうに従って幅狭となるテーパー部８Ｃが形成されており、該肘掛け本体部８Ａにおけるテーパー部８Ｃの側面が手指挟み防止用傾斜面６０とされている。【選択図】図１
2012016469.tif 000002
【特許請求の範囲】
【請求項１】
便器本体と、該便器本体の側部に設けられた肘掛けと、該便器本体の後部に設けられた背もたれ部と、
を備えた簡易便器であって、
前記背もたれ部は、左右一対の側板部と該側板部間に差渡される背あて部とからなり、
該便器本体両側後部には該背もたれ部の側板部下端を前後位置調節可能に嵌着する嵌着凹部が設けられて、前記背もたれ部が前記便器本体の後部において前後調節自在とされており、
前記肘掛けは、使用者の肘を支持する肘掛け本体部の後端部から後方へ向かって差し出された該肘掛け本体部より幅狭の延長部を備えており、
前記背もたれ部がいずれの前後位置でも、該背もたれ部の側板部と該肘掛けの延長部とが左右方向で隣接して、該背もたれ部の側板部の側面の少なくとも一部に、該肘掛けの延長部の少なくとも一部が覆い被さっていることを特徴とする簡易便器。
【請求項２】
前記肘掛けは、
便器本体の上面両側に左右一対で交換可能に取付け自在とされ、かつ、互いに左右対称形状とされており、
前記肘掛けを左右交換して取り付けて、該背もたれ部の側板部の外側に該肘掛けの延長部が配置される第１の状態、及び、該背もたれ部の側板部の内側に該肘掛けの延長部が配置される第２の状態のうちいずれかを選択することにより肘掛け間隔を変更自在とした請求項１に記載の簡易便器。
【請求項３】
前記肘掛け本体部の後端部の側面には、該後端部を前記延長部に向かうに従って幅狭形状とする手指挟み防止用傾斜面が形成されている請求項１又は請求項２記載の簡易便器。
【請求項４】
前記肘掛けは、便器本体の上面両側に着脱可能に取付けられている上下二段構造であって、
該便器本体の上面両側には上部支柱と下部支柱とからなる支柱が前後一対立設されており、
該上部支柱間には上段肘掛けが差渡され、
該下部支柱間には下段肘掛けが差渡されており、
該上部支柱の根端部は該下部支柱の上端部に上下摺動可能にそれぞれ嵌着されており、
該上部支柱には複数個の係止孔が縦列され、
該下部支柱の上端部の内周からは突出方向にバネ付勢された係止ピンが出没可能に設けられており、
該係止ピンにはワイヤを介して押下げ把手が接続されており、
該押下げ把手は該下段肘掛けの下面に取付けられ、該押下げ把手を上下に摺動させることによって、該係止ピンを出没させて該係止ピンを該係止孔のいずれかに係合させることによって、上段肘掛けの高さ調節が可能とされている請求項１乃至請求項３のうちいずれか１項に記載の簡易便器。
【発明の詳細な説明】
【技術分野】
【０００１】
本発明は、肘掛けと、前後位置調節自在な背もたれ部とを備える簡易便器に関するものである。
【背景技術】
【０００２】
従来、肘掛けと背もたれ部との間に使用者等の手指が挟まらないようにした肘掛け付きポータブルトイレ（簡易便器）は既に開示されている（特許文献１参照）。このように、簡易便器において背もたれ部と肘掛けとの間に手指を挟まないようにしようとする取り組みは既に行われてきている。
【０００３】
また、背もたれ部を前後位置調節可能にした携帯用便器（簡易便器）も既に開示されている（特許文献２参照）。
【先行技術文献】
【特許文献】
【０００４】
【特許文献１】特開２００４−９７３４８号公報
【特許文献２】特開２００１−３４０２６３号公報
【発明の概要】
【発明が解決しようとする課題】
【０００５】
しかしながら、背もたれ部が前後調節自在とされた簡易便器の場合、背もたれ部と肘掛けとの離間距離が変わるため、上記特許文献１に開示されている構成では、手指挟み防止効果が得られなくなるという問題があった。例えば、図１５に示すように、前後調節可能な背もたれ部ｂを備えた簡易便器Ａにおいて、背もたれ部ｂを後方へ移動させると、肘掛けａの後端と背もたれ部ｂの側板部ｃとの間には、手指が入り込んでしまう隙間ｄが生じてしまう。
【０００６】
また、背もたれ部を前後調節自在とした簡易便器にあって、該背もたれ部を後方位置に設定した場合に、該背もたれ部と肘掛けとの間に生じた隙間を介して、該肘掛けに使用者が着衣しているシャツの袖が引っ掛かってしまうことがあり、使い勝手が悪いという問題もあった。
【０００７】
そこで、本発明は、上記問題を解決することができる簡易便器を提供することを目的とする。
【課題を解決するための手段】
【０００８】
本発明は、便器本体と、該便器本体の側部に設けられた肘掛けと、該便器本体の後部に設けられた背もたれ部と、を備えた簡易便器であって、前記背もたれ部は、左右一対の側板部と該側板部間に差渡される背あて部とからなり、該便器本体両側後部には該背もたれ部の側板部下端を前後位置調節可能に嵌着する嵌着凹部が設けられて、前記背もたれ部が前記便器本体の後部において前後調節自在とされており、前記肘掛けは、使用者の肘を支持する肘掛け本体部の後端部から後方へ向かって差し出された該肘掛け本体部より幅狭の延長部を備えており、前記背もたれ部がいずれの前後位置でも、該背もたれ部の側板部と該肘掛けの延長部とが左右方向で隣接して、該背もたれ部の側板部の側面の少なくとも一部に、該肘掛けの延長部の少なくとも一部が覆い被さっていることを特徴とする簡易便器である。
【０００９】
上記構成にあっては、背もたれ部の前後位置に関わらず、常に、該背もたれ部の側板部と、前記肘掛けにおける延長部とが左右方向で隣接し、該背もたれ部の側板部の側面の少なくとも一部が、該肘掛けの延長部の少なくとも一部によって被覆された状態となるため、背もたれ部を移動させても該背もたれ部と該肘掛けとの間に手指を挟むおそれのある隙間が生じない。したがって、上記簡易便器は、安全性に優れている。また、上記構成のように該肘掛け本体部と該背もたれ部との間に隙間が生じないため、該肘掛けに使用者が着衣しているシャツの袖が引っ掛かってしまうこともなく、また肘掛けと背もたれ部とが切れ目なくほぼ一体的に繋がった構成となるため、使用者を後方及び側方から適切に支持して安定的に着座させることもできる。
【００１０】
また、前記肘掛けは、便器本体の上面両側に左右一対で交換可能に取付け自在とされ、かつ、互いに左右対称形状とされており、前記肘掛けを左右交換して取り付けて、該背もたれ部の側板部の外側に該肘掛けの延長部が配置される第１の状態、及び、該背もたれ部の側板部の内側に該肘掛けの延長部が配置される第２の状態のうちいずれかを選択することにより肘掛け間隔を変更自在とした構成が望ましい。
【００１１】
上記構成とすることにより、簡易な構造で、使用者の体格に応じて肘掛け間隔を変更することができる。
【００１２】
また、前記肘掛け本体部の後端部の側面には、該後端部を前記延長部に向かうに従って幅狭形状とする手指挟み防止用傾斜面が形成されていることが望ましい。
【００１３】
上記構成にあっては、該延長部の根端部近傍位置において、該肘掛け本体部の後端と該背もたれ部の外縁との間に十分広い空間が形成されているため、手指を挟むような個所が生じることがない。
【００１４】
また、前記肘掛けは、便器本体の上面両側に着脱可能に取付けられている上下二段構造であって、該便器本体の上面両側には上部支柱と下部支柱とからなる支柱が前後一対立設されており、該上部支柱間には上段肘掛けが差渡され、該下部支柱間には下段肘掛けが差渡されており、該上部支柱の根端部は該下部支柱の上端部に上下摺動可能にそれぞれ嵌着されており、該上部支柱には複数個の係止孔が縦列され、該下部支柱の上端部の内周からは突出方向にバネ付勢された係止ピンが出没可能に設けられており、該係止ピンにはワイヤを介して押下げ把手が接続されており、該押下げ把手は該下段肘掛けの下面に取付けられ、該押下げ把手を上下に摺動させることによって、該係止ピンを出没させて該係止ピンを該係止孔のいずれかに係合させることによって、上段肘掛けの高さ調節が可能とされている構成が望ましい。
【００１５】
上記構成においては、肘掛けが上下二段に設けられているため、使用状況に応じて上段肘掛けを使用したり、下段肘掛けを使用したりすることができ、使い勝手が非常に良好になる。
【発明の効果】
【００１６】
本発明の簡易便器は、背もたれ部と肘掛けとの間に手指が入り込んでしまう隙間が生じないため、極めて安全性に優れており、また肘掛けに使用者の着衣の袖が引っかかることがないため、極めて使い勝手が良い。また、肘掛けと背もたれ部とが切れ目なくほぼ一体的に繋がった構成となるため、使用者を安定的に着座させることができる効果もある。
【図面の簡単な説明】
【００１７】
【図１】簡易便器の外観斜視図
【図２】便器本体の斜視図
【図３】背もたれ部の取付部分を示す斜視図
【図４】背もたれ部の取付部分を説明する説明横断面図
【図５】背もたれ部の取付状態を示す縦断面図
【図６】肘掛けを示す分解斜視図
【図７】肘掛け構造を示す分解斜視図
【図８】肘掛け構造（摺動ロック状態）の説明側断面図
【図９】肘掛け構造（摺動フリー状態）の説明側断面図
【図１０】背もたれ部が最前位置において、イ）は左右肘掛け交換前の平面図、ロ）は交換後の平面図
【図１１】背もたれ部が最後位置において、イ）は左右肘掛け交換前の平面図、ロ）は交換後の平面図
【図１２】他の形態の嵌着凹部の縦断面図
【図１３】他の形態の嵌着凹部の縦断面図
【図１４】他の形態の背もたれ部の取付部分を示す説明図
【図１５】従来構成の簡易便器を示す斜視図
【発明を実施するための形態】
【００１８】
本発明を図１〜図１１に示す実施例によって説明する。
【００１９】
図１に示すように、簡易便器１は、合成樹脂製の便器本体２と、該便器本体２の上面両側に着脱可能に取付けられている合成樹脂製の上下二段の肘掛け３と、該便器本体２の後部に立設されているコの字状の背もたれ部４と、該便器本体２の上面に載置されている便座５と、該便器本体２の後縁部に枢着されている折畳み可能な上蓋６と、該便器本体２の前後左右に取付けられている高さ調節可能な脚部７とからなる。
【００２０】
前記簡易便器１において、該背もたれ部４は、図１等に示すようにほぼ鉛直方向に沿って形成され、外側面及び内側面が垂直面とされた側板部４Ａ，４Ａを備えており、該左右一対の側板部４Ａ，４Ａとの間に、背あて部４Ｂが差し渡されて、コの字状に形成されている。さらに、該側板部４Ａ，４Ａの下端からは、箱型根端部４１が突設されている。
【００２１】
一方、図２に示すように、該便器本体２の上面両側の後部には一対の嵌着凹部４０，４０が設けられており、該背もたれ部４の箱型根端部４１，４１を該便器本体２の嵌着凹部４０，４０に各々嵌着することによって、該背もたれ部４は該便器本体２に着脱可能に取付けられる。
【００２２】
さらに詳述すると、図３に示すように、該背もたれ部４の箱形根端部４１の両側には縦突条４２が設けられ、かつ前後に貫通する係止孔４３が設けられ、一方便器本体２の嵌着凹部４０の両側壁には複数条の縦溝４４，４４が設けられている。また、固定棒４５は該背もたれ部４を嵌着凹部４０に固定する棒であって、該固定棒４５の後端にはつまみ部４６が設けられ、後寄り部分にキー４７が設けられている。
【００２３】
上記構成にあって、背もたれ部４を取り付ける場合には、図４に示すように、該背もたれ部４の箱形根端部４１の縦突条４２を該縦溝４４，４４のいずれかに嵌合し、固定棒４５を便器本体２の嵌着凹部４０後面に貫通する固定棒挿入孔４８を介して該背もたれ部４の箱形根端部４１の係止孔４３に挿通する。
【００２４】
固定棒４５を挿通した後、図５に示すようにつまみ部４６を回転させ、該固定棒４５のキー４７を便器本体２の固定凹部４９内側に係合する。このようにして該背もたれ部４は該便器本体２の上面後部に前後位置調節可能かつ着脱可能に安定な状態で取付けられる。なお、本実施例の簡易便器１は、該背もたれ部４を最前位置α、中間位置β、及び最後位置γ（図３等参照）の３段階に１２ｍｍ間隔で調節可能とされている。
【００２５】
また、上記肘掛け３は、上下調節自在に便器本体２に取り付けられている。
図６等に示すように、該上下二段の肘掛け３は上段肘掛け８と下段肘掛け９とからなり、該上段肘掛け８は前後一対の支柱１０の上部支柱１１間に差渡され、該下段肘掛け９は肘掛け基台１３から立設された前後一対の支柱１０の下部支柱１２間に差渡されている。該上部支柱１１の内側面にはそれぞれ５個の係止孔１４が縦列されており、該上部支柱１１の根端部は該下部支柱１２の上端部に上下摺動可能にそれぞれ嵌着されている。
【００２６】
肘掛け３の上段肘掛け８の高さは便器本体２上面から１８ｃｍ〜３０ｃｍの高さに設定されていることが望ましく、下段肘掛け９の高さは便器本体２上面から８ｃｍ〜１２ｃｍの高さに設定されていることが望ましい。本実施例では、下段肘掛け９の高さは便器本体２の上面から１０ｃｍの高さに設定されている。
【００２７】
肘掛け基台１３の下面からは前後一対の支持筒１５が垂設されており、また、該肘掛け基台１３の下面中央には支持ブロック１６が凸設されている。更に、該肘掛け基台１３には、下部にロックキー（図示せず）を有するロック部材１７が取付けられている。一方、便器本体２の上面両側には、該肘掛け基台１３を取付けるための基台取付部１８が設けられており、該基台取付部１８には該肘掛け基台１３の支持筒１５を嵌着するための支持筒取付孔１９が前後一対凹設されており、また、該肘掛け基台１３の支持ブロック１６を嵌着するための支持ブロック取付孔２０が凹設されている。さらに、該基台取付部１８には、該肘掛け基台１３のロック部材１７のロックキーが挿着されるキー溝２１が設けられている。
【００２８】
便器本体２に肘掛け３を取付け固定する場合には、該便器本体２の基台取付部１８に該肘掛け基台１３を嵌着して、該基台取付部１８のキー溝２１にロック部材１７のロックキーを挿通した状態で、該ロック部材１７を９０度回動させることによって、ロックキーをキー溝２１に係止させて固定する。本実施例では、図６に示すように、後側の下部支柱１２の後部に係止突起２２が立設されており、背もたれ部４の対応する位置に係止凹部２３が設けられているので、該下部支柱１２の係止突起２２を該背もたれ部４の係止凹部２３に係合させることによって、該便器本体２に取付けた肘掛け３が左右にがたつくのを防止することが出来る。
【００２９】
図７〜図９に示すように、下段肘掛け９の内部には、一端部に係止ピン２４が設けられ他端部にワイヤ２５が接続されている一対の摺動ピン部材２６と、該ワイヤ２５をガイドするための一対のガイドロール２７が取付けられており、また、下段肘掛け９の下面には、該ワイヤ２５を挿通するためのワイヤ挿通孔２８が設けられた凸部２９を有する押下げ把手３０が取付けられている。
【００３０】
該摺動ピン部材２６の係止ピン２４の先端下面には面取部３１が設けられており、また、該摺動ピン部材２６の中央部には孔部３２が設けられており、該孔部３２の一方の内壁にはスプリング挿着杆３３が立設されており、該スプリング挿着杆３３には該摺動ピン部材２６の係止ピン２４を突出方向に付勢するためのスプリング３４が挿着されている。このようにして、該摺動ピン部材２６は下段肘掛け９内部に前後（図８，９における左右）摺動可能に取付けられており、突出方向にバネ付勢された係止ピン２４は該下部支柱１２の上端部の内周から出没可能とされている。
【００３１】
また、該押下げ把手３０の上面には、該押下げ把手３０の上下摺動を円滑にガイドするためのガイド杆３５が前後一対立設されており、該押下げ把手３０の両側部分には、該押下げ把手３０を押し下げるときに指を引っ掛けるための耳部３６が設けられている。
【００３２】
肘掛け３の使用状態では、図８に示すように、下段肘掛け９内部の摺動ピン部材２６の係止ピン２４は、該摺動ピン部材２６内に挿着されたスプリング３４によって突出方向にバネ付勢されて、該下部支柱１２の上端部の内周から突出する。そして、バネ付勢されて突出した係止ピン２４が、下部支柱１２に嵌着された上部支柱１１の係止孔１４に係合することによって、上段肘掛け８が差渡されている上部支柱１１の上下摺動が規制され、上段肘掛け８が摺動ロック状態とされている。
【００３３】
肘掛け３の高さを調節する場合には、図９に示すように、下段肘掛け９下面の押下げ把手３０を指で押し下げることによって、該押下げ把手３０のワイヤ挿通孔２８に挿通されたワイヤ２５を介して摺動ピン部材２６が引張られ、該摺動ピン部材２６内に挿着されたスプリング３４のバネ付勢力に抗して該摺動ピン部材２６が内側に向かって摺動し、該摺動ピンの係止ピン２４が上部支柱１１の係合孔から引抜かれ、上段肘掛け８が差渡されている上部支柱１１の上下摺動の規制が解除されて、上段肘掛け８が摺動フリー状態となる。
【００３４】
そして、摺動フリー状態となった上段肘掛け８を所望の高さに合わせた後、それまで押し下げていた押下げ把手３０を放すと、下段肘掛け９内部の摺動ピン部材２６の係止ピン２４が、該摺動ピン部材２６内に挿着されたスプリング３４によって突出方向にバネ付勢されて、該下部支柱１２の上端部の内周から突出して、下部支柱１２に嵌着された上部支柱１１の係止孔１４に係合し、再び上部支柱１１の上下摺動が規制されて上段肘掛け８が摺動ロック状態に戻る。本実施例では、該上部支柱１１の５個の係止孔１４のいずれか一つを選択して該係止ピン２４を係合させることにより、上段肘掛け８の高さを３ｃｍ間隔で５段階に調節することが出来る。
【００３５】
また、図６等に示すように、前記肘掛け３の上段肘掛け８は、使用者の肘を支持する肘掛け本体部８Ａと、該肘掛け本体部８Ａの後端部から後方へ向かって差し出された延長部８Ｂとを備えている。該肘掛け本体部８Ａは、前端から後端にかけて横幅が一定なストレート形状とされていると共に、前記該延長部８Ｂは、該肘掛け本体部８Ａより幅狭とされ、かつ該肘掛け本体部８Ａの一方の側面（図６において外側の側面）に沿って真っ直ぐ後方へ延出形成されている。また、該延長部８Ｂの後方への延出長さは、少なくとも前記背もたれ部４が最後位置γに設定された場合にも該背もたれ部４の側板部４Ａの側面へ達する長さに設定されている。すなわち、該延長部８Ｂは、該背もたれ部４の前後調整ストロークよりも長い寸法に設定されている。
【００３６】
したがって、例えば簡易便器１の使用状態では、図１あるいは図１０イ，図１１イに示すように、該背もたれ部４の側板部４Ａと該肘掛け３の延長部８Ｂとが左右方向で隣接し、該背もたれ部４の側板部４Ａの外側面の少なくとも一部に、該肘掛け３の延長部８Ｂの少なくとも一部が覆い被さった状態となっている。そして、該背もたれ部４を前後に移動させた場合、該背もたれ部４の側板部４Ａは該上段肘掛け８の延長部８Ｂに沿ってスライドすることとなる。なお、該側板部４Ａと該延長部８Ｂとは、接触している構成が望ましいが、手指が入り込まない程度（例えば３ｍｍ以下）の隙間を介して非接触であってもよい。
【００３７】
さらに、前記上段肘掛け８の肘掛け本体部８Ａにおける後端部には、前記延長部８Ｂに向かうに従って幅狭となるテーパー部８Ｃが形成されており、該肘掛け本体部８Ａにおけるテーパー部８Ｃの他方の側面（図６において内側の側面）が、手指挟み防止用傾斜面６０とされている。
【００３８】
上記簡易便器１にあっては、図１０イに示すように前記背もたれ部４が最前位置αにある場合でも、図１１イに示すように前記背もたれ部４が最後位置γにある場合でも、該背もたれ部４の前後位置に関わらず、該背もたれ部４の側板部４Ａの外側面の少なくとも一部に、該肘掛け３の延長部８Ｂの少なくとも一部が覆い被さった状態となっており、該背もたれ部４と該上段肘掛け８との間に隙間が生じない。さらに、前記肘掛け本体部８Ａには手指挟み防止用傾斜面６０が形成されており、該延長部８Ｂの根端部近傍位置においても、該肘掛け本体部８Ａの後端と該背もたれ部４の外縁との間に十分広い空間が形成されているため、手指を挟むような個所が生じない。該手指挟み防止用傾斜面６０は、非曲面で構成されていてもよいし、曲面で構成されていてもよい。
【００３９】
また、上記左右一対の肘掛け３，３は、左右で同じ取付構造を採用することにより交換可能に取付け自在とされており、かつ、互いに左右対称形状とされているため、左右交換することにより肘掛け間隔Ｗが変更可能となっている。
すなわち、図１，図１０イ，図１１イに示すように、延長部８Ｂを背もたれ部４の側板部４Ａの外側に配置するように肘掛け３，３を取り付けた第１の状態とすると、肘掛け間隔はＷ１（例えば４１ｃｍ）となって広くなり、体格の大きな人に対応可能となる。一方、肘掛け３，３を左右交換して取り付け、図１０ロ，図１１ロに示すように、延長部８Ｂが背もたれ部４の側板部４Ａの内側に配置される第２の状態とすると、肘掛け間隔はＷ２（例えば３８ｃｍ）となって狭くなり（Ｗ２＜Ｗ１）、体格の小さな人に対応可能となる。なお、前記肘掛け本体部８Ａの前端部形状を片側へ膨出した形状とし、前記第１の状態とした場合に肘掛け間隔Ｗ１が狭くなり、前記第２の状態とした場合に肘掛け間隔Ｗ２が広くなるようにしてもよい。
【００４０】
本発明は、上記実施例に限定されず、本発明の主旨を逸脱しない範囲で適宜設計変更可能である。
例えば、これまでに述べた構成のほか、図１２に示すように嵌着凹部４０の両側壁の縦溝４４，４４の下端に連通する横溝４４Ａが底面に設けられてもよいし、また図１３に示すように嵌着凹部４０の底面にラック５４を設け、背もたれ部４の箱形根端部４１の底面に該ラック５４に噛合するラック５２を設けてもよい。また図１４に示すように便器本体２の後壁に直接キー溝５８Ａを付した固定棒挿入孔５８を設け、更に背もたれ部４の箱形根端部４１の係止孔４３にもキー溝４３Ａを付し、固定棒５５のキー５７を該固定棒挿入孔５８の内側に係止してもよい。また背もたれ部４の箱形根端部４１側に縦溝を設け、便器本体２の嵌着凹部４０側に縦突条を設けてもよい。また縦突条を複数条、縦溝を１条設けてもよい。
【符号の説明】
【００４１】
１          簡易便器
２          便器本体
３          肘掛け
４          背もたれ部
４Ａ        側板部
４Ｂ        背あて部
８          上段肘掛け
８Ａ        肘掛け本体部
８Ｂ        延長部
９          下段肘掛け
１１        上部支柱
１２        下部支柱
１４        係止穴
２４        係止ピン
２５        ワイヤ
３０        押下げ把手
４０        嵌着凹部
６０        手指挟み防止用傾斜面
【図１】
2012016469.tif 000003
【図２】
2012016469.tif 000004
【図３】
2012016469.tif 000005
【図４】
2012016469.tif 000006
【図５】
2012016469.tif 000007
【図６】
2012016469.tif 000008
【図７】
2012016469.tif 000009
【図８】
2012016469.tif 000010
【図９】
2012016469.tif 000011
【図１０】
2012016469.tif 000012
【図１１】
2012016469.tif 000013
【図１２】
2012016469.tif 000014
【図１３】
2012016469.tif 000015
【図１４】
2012016469.tif 000016
【図１５】
2012016469.tif 000017